(57)【要約】【課題】販売する飲料をホットまたはコールドに切替える温度を適切に設定でき、温度変化による飲料販売のチャンスロスを防止することを課題とする。【解決手段】売上情報解析サーバ装置の切替条件解析部は、例えば、このサーバ装置の管理者などからの指示を受け付けて、切替条件の解析を行う。具体的には、この切替条件解析部は、売上情報記憶部に記憶された売上情報に基づいて、例えば、図２に例示するように、飲料ごと（例えば、飲料Ａ）に、ホットおよびコールドの売上（個数）と購入時の気温との関係を解析して、ホットとコールドを切替える契機となる気温（例えば、売上個数が同じになると推測される気温）を切替条件の一つである温度条件として検出する。【選択図】        図２
2007264816.tif 000002
【特許請求の範囲】
【請求項１】
自動販売機において購入された飲料の売上情報を解析する方法をコンピュータに実行させる売上情報解析プログラムであって、
前記売上情報として、前記購入された飲料ごとに当該飲料の購入時の気温および当該飲料がホットまたはコールドのいずれで販売されていたかを示す情報を前記自動販売機から受信して売上情報記憶手段に記憶する売上情報記憶手順と、
前記売上情報記憶手段に記憶されている売上情報に基づいて、前記自動販売機で販売されている飲料をホットまたはコールドに切替える切替条件を解析して検出する切替条件検出手順と、
をコンピュータに実行させることを特徴とする売上情報解析プログラム。
【請求項２】
前記売上情報記憶手順は、前記売上情報として、前記購入された飲料ごとに当該飲料の購入時の気温および当該飲料がホットまたはコールドのいずれで販売されていたかを示す情報だけでなく、前記自動販売機の設置場所に関する情報を前記売上情報記憶手段にさらに記憶し、
前記切替条件検出手順は、前記売上情報記憶手段に記憶されている前記自動販売機の設置場所に関する情報をさらに加味して前記切替条件を解析して検出することを特徴とする請求項１に記載の売上情報解析プログラム。
【請求項３】
前記切替条件検出手順は、所定温度以上または所定温度以下が所定時間継続することを前記切替条件として検出することを特徴とする請求項１に記載の売上情報解析プログラム。
【請求項４】
自動販売機において購入された飲料の売上情報を解析する売上情報解析サーバ装置であって、
前記売上情報として、前記購入された飲料ごとに当該飲料の購入時の気温および当該飲料がホットまたはコールドのいずれで販売されていたかを示す情報を前記自動販売機から受信して記憶する売上情報記憶手段と、
前記売上情報記憶手段に記憶されている売上情報に基づいて、前記自動販売機で販売されている飲料をホットまたはコールドに切替える切替条件を解析して検出する切替条件検出手段と、
を備えたことを特徴とする売上情報解析サーバ装置。
【請求項５】
自動販売機とサーバ装置とがネットワークを介して接続されており、当該自動販売機で購入された飲料の売上情報を当該サーバ装置で解析する自動販売機システムであって、
前記サーバ装置は、
前記売上情報として、前記購入された飲料ごとに当該飲料の購入時の気温および当該飲料がホットまたはコールドのいずれで販売されていたかを示す情報を前記自動販売機から受信して記憶する売上情報記憶手段と、
前記売上情報記憶手段に記憶されている売上情報に基づいて、前記自動販売機で販売されている飲料をホットまたはコールドに切替える切替条件を解析して検出する切替条件検出手段と、
前記切替条件検出手段により検出した切替条件を前記自動販売機に送信する切替条件送信手段とを備え、
前記自動販売機は、
気温を取得する気温取得手段と、
前記売上情報を前記サーバ装置に送信する売上情報送信手段と、
前記サーバ装置から受信した切替条件を記憶する切替条件記憶手段と、
前記気温取得手段により取得した気温が前記切替条件記憶手段に記憶されている切替条件を満足するかどうかを判定する切替判定手段と、
前記切替判定手段により前記切替条件を満足するものと判定した場合には、前記飲料をホットまたはコールドに切替える切替手段と、
を備えたことを特徴とする自動販売機システム。
【請求項６】
前記売上情報記憶手段は、前記売上情報として、前記購入された飲料ごとに当該飲料の購入時の気温および当該飲料がホットまたはコールドのいずれで販売されていたかを示す情報だけでなく、前記自動販売機の設置場所に関する情報をさらに記憶し、
前記切替条件検出手段は、前記売上情報記憶手段に記憶されている前記自動販売機の設置場所に関する情報をさらに加味して前記切替条件を解析して検出し、
前記切替条件送信手段は、前記切替条件検出手段により検出された切替条件を前記自動販売機の設置場所に応じて送信することを特徴とする請求項５に記載の自動販売機システム。
【請求項７】
前記切替条件検出手段は、所定温度以上または所定温度以下が所定時間継続することを前記切替条件として検出することを特徴とする請求項５に記載の自動販売機システム。
【請求項８】
前記自動販売機は、
前記販売する飲料についてホットまたはコールドを表示する表示手段をさらに備え、
前記切替手段は、前記飲料をホットまたはコールドに切替える際に、前記表示手段に表示されたホットまたはコールドの表示を切替えることを特徴とする請求項５に記載の自動販売システム。
【請求項９】
自動販売機とサーバ装置とがネットワークを介して接続されており、当該自動販売機で購入された飲料の売上情報を当該サーバ装置で解析する自動販売機システムに適用される売上情報解析方法であって、
前記サーバ装置は、
前記売上情報として、前記購入された飲料ごとに当該飲料の購入時の気温および当該飲料がホットまたはコールドのいずれで販売されていたかを示す情報を前記自動販売機から受信して記憶する売上情報記憶工程と、
前記売上情報記憶工程に記憶されている売上情報に基づいて、前記自動販売機で販売されている飲料をホットまたはコールドに切替える切替条件を解析して検出する切替条件検出工程と、
前記切替条件検出手段により検出した切替条件を前記自動販売機に送信する切替条件送信工程とを含み、
前記自動販売機は、
気温を取得する気温取得工程と、
前記売上情報を前記サーバ装置に送信する売上情報送信工程と、
前記サーバ装置から受信した切替条件を記憶する切替条件記憶工程と、
前記気温取得工程により取得した気温が前記切替条件記憶工程に記憶されている切替条件を満足するかどうかを判定する切替判定工程と、
前記切替判定工程により前記切替条件を満足するものと判定した場合には、前記飲料をホットまたはコールドに切替える切替工程と、
を含んだことを特徴とする売上情報解析方法。
【請求項１０】
自動販売機とサーバ装置とがネットワークを介して接続されており、当該自動販売機で購入された飲料の売上情報を当該サーバ装置で解析する自動販売機システムに適用される売上情報解析方法を、当該自動販売機および当該サーバ装置としてのコンピュータに実行させる売上情報解析プログラムであって、
前記サーバ装置としてのコンピュータに、
前記売上情報として、前記購入された飲料ごとに当該飲料の購入時の気温および当該飲料がホットまたはコールドのいずれで販売されていたかを示す情報を前記自動販売機から受信して記憶する売上情報記憶手順と、
前記売上情報記憶手順に記憶されている売上情報に基づいて、前記自動販売機で販売されている飲料をホットまたはコールドに切替える切替条件を解析して検出する切替条件検出手順と、
前記切替条件検出手順により検出した切替条件を前記自動販売機に送信する切替条件送信手順とを実行させ、
前記自動販売機としてのコンピュータに、
気温を取得する気温取得手順と、
前記売上情報を前記サーバ装置に送信する売上情報送信手順と、
前記サーバ装置から受信した切替条件を記憶する切替条件記憶手順と、
前記気温取得手順により取得した気温が前記切替条件記憶手順に記憶されている切替条件を満足するかどうかを判定する切替判定手順と、
前記切替判定手順により前記切替条件を満足するものと判定した場合には、前記飲料をホットまたはコールドに切替える切替手順と、
を実行させることを特徴とする売上情報解析プログラム。
【発明の詳細な説明】
【技術分野】
【０００１】
この発明は、自動販売機において購入された飲料の売上情報を解析する方法をコンピュータに実行させる売上情報解析プログラムなどに関する。
【背景技術】
【０００２】
従来より、金銭を投入して操作することにより飲料が自動販売される自動販売機において、販売する飲料をホットまたはコールドに自動切替する技術がある。例えば、自動販売機が設置されている場所の気温が所定の設定温度に到達すると、販売する飲料をホットまたはコールドに自動切替するのが一般的である（特許文献１参照）。
【０００３】
【特許文献１】特開平５−１２５５６号公報
【発明の開示】
【発明が解決しようとする課題】
【０００４】
ところで、上記した従来の技術は、販売する飲料をホットまたはコールドに切替える温度について必ずしも適切な設定がなされているとはいえないという問題点があった。すなわち、従来の技術では、ホットまたはコールドを切替える設定温度が経験則などに基づく固定されたものであり、例えば、飲料の売上と気温との関係などが考慮されていないため、販売する飲料をホットまたはコールドに切替える温度について必ずしも適切な設定がなされているとはいえないという問題点があった。このように、販売する飲料をホットまたはコールドに切替える温度について適切な設定がなされていない場合には、温度変化による飲料販売のチャンスロスにつながる恐れもある。
【０００５】
そこで、この発明は、上述した従来技術の課題を解決するためになされたものであり、販売する飲料をホットまたはコールドに切替える温度を適切に設定でき、温度変化による飲料販売のチャンスロスを防止することが可能な売上情報解析プログラム、売上情報解析サーバ装置、自動販売機システムおよび売上情報解析方法を提供することを目的とする。
【課題を解決するための手段】
【０００６】
上述した課題を解決し、目的を達成するため、請求項１に係る発明は、自動販売機において購入された飲料の売上情報を解析する方法をコンピュータに実行させる売上情報解析プログラムであって、前記売上情報として、前記購入された飲料ごとに当該飲料の購入時の気温および当該飲料がホットまたはコールドのいずれで販売されていたかを示す情報を前記自動販売機から受信して売上情報記憶手段に記憶する売上情報記憶手順と、前記売上情報記憶手段に記憶されている売上情報に基づいて、前記自動販売機で販売されている飲料をホットまたはコールドに切替える切替条件を解析して検出する切替条件検出手順と、をコンピュータに実行させることを特徴とする。
【０００７】
また、請求項２に係る発明は、上記の発明において、前記売上情報記憶手順は、前記売上情報として、前記購入された飲料ごとに当該飲料の購入時の気温および当該飲料がホットまたはコールドのいずれで販売されていたかを示す情報だけでなく、前記自動販売機の設置場所に関する情報を前記売上情報記憶手段にさらに記憶し、前記切替条件検出手順は、前記売上情報記憶手段に記憶されている前記自動販売機の設置場所に関する情報をさらに加味して前記切替条件を解析して検出することを特徴とする。
【０００８】
また、請求項３に係る発明は、上記の発明において、前記切替条件検出手順は、所定温度以上または所定温度以下が所定時間継続することを前記切替条件として検出することを特徴とする。
【０００９】
また、請求項４に係る発明は、上記の発明において、自動販売機において購入された飲料の売上情報を解析する売上情報解析サーバ装置であって、前記売上情報として、前記購入された飲料ごとに当該飲料の購入時の気温および当該飲料がホットまたはコールドのいずれで販売されていたかを示す情報を前記自動販売機から受信して記憶する売上情報記憶手段と、前記売上情報記憶手段に記憶されている売上情報に基づいて、前記自動販売機で販売されている飲料をホットまたはコールドに切替える切替条件を解析して検出する切替条件検出手段と、を備えたことを特徴とする。
【００１０】
また、請求項５に係る発明は、上記の発明において、自動販売機とサーバ装置とがネットワークを介して接続されており、当該自動販売機で購入された飲料の売上情報を当該サーバ装置で解析する自動販売機システムであって、前記サーバ装置は、前記売上情報として、前記購入された飲料ごとに当該飲料の購入時の気温および当該飲料がホットまたはコールドのいずれで販売されていたかを示す情報を前記自動販売機から受信して記憶する売上情報記憶手段と、前記売上情報記憶手段に記憶されている売上情報に基づいて、前記自動販売機で販売されている飲料をホットまたはコールドに切替える切替条件を解析して検出する切替条件検出手段と、前記切替条件検出手段により検出した切替条件を前記自動販売機に送信する切替条件送信手段とを備え、前記自動販売機は、気温を取得する気温取得手段と、前記売上情報を前記サーバ装置に送信する売上情報送信手段と、前記サーバ装置から受信した切替条件を記憶する切替条件記憶手段と、前記気温取得手段により取得した気温が前記切替条件記憶手段に記憶されている切替条件を満足するかどうかを判定する切替判定手段と、前記切替判定手段により前記切替条件を満足するものと判定した場合には、前記飲料をホットまたはコールドに切替える切替手段と、を備えたことを特徴とする。
【００１１】
また、請求項６に係る発明は、前記売上情報記憶手段は、前記売上情報として、前記購入された飲料ごとに当該飲料の購入時の気温および当該飲料がホットまたはコールドのいずれで販売されていたかを示す情報だけでなく、前記自動販売機の設置場所に関する情報をさらに記憶し、前記切替条件検出手段は、前記売上情報記憶手段に記憶されている前記自動販売機の設置場所に関する情報をさらに加味して前記切替条件を解析して検出し、前記切替条件送信手段は、前記切替条件検出手段により検出された切替条件を前記自動販売機の設置場所に応じて送信することを特徴とする。
【００１２】
また、請求項７に係る発明は、前記切替条件検出手段は、所定温度以上または所定温度以下が所定時間継続することを前記切替条件として検出することを特徴とする。
【００１３】
また、請求項８に係る発明は、前記自動販売機は、前記販売する飲料についてホットまたはコールドを表示する表示手段をさらに備え、前記切替手段は、前記飲料をホットまたはコールドに切替える際に、前記表示手段に表示されたホットまたはコールドの表示を切替えることを特徴とする。
【００１４】
また、請求項９に係る発明は、自動販売機とサーバ装置とがネットワークを介して接続されており、当該自動販売機で購入された飲料の売上情報を当該サーバ装置で解析する自動販売機システムに適用される売上情報解析方法であって、前記サーバ装置は、前記売上情報として、前記購入された飲料ごとに当該飲料の購入時の気温および当該飲料がホットまたはコールドのいずれで販売されていたかを示す情報を前記自動販売機から受信して記憶する売上情報記憶工程と、前記売上情報記憶工程に記憶されている売上情報に基づいて、前記自動販売機で販売されている飲料をホットまたはコールドに切替える切替条件を解析して検出する切替条件検出工程と、前記切替条件検出手段により検出した切替条件を前記自動販売機に送信する切替条件送信工程とを含み、前記自動販売機は、気温を取得する気温取得工程と、前記売上情報を前記サーバ装置に送信する売上情報送信工程と、前記サーバ装置から受信した切替条件を記憶する切替条件記憶工程と、前記気温取得工程により取得した気温が前記切替条件記憶工程に記憶されている切替条件を満足するかどうかを判定する切替判定工程と、前記切替判定工程により前記切替条件を満足するものと判定した場合には、前記飲料をホットまたはコールドに切替える切替工程と、を含んだことを特徴とする。
【００１５】
また、請求項１０に係る発明は、自動販売機とサーバ装置とがネットワークを介して接続されており、当該自動販売機で購入された飲料の売上情報を当該サーバ装置で解析する自動販売機システムに適用される売上情報解析方法を、当該自動販売機および当該サーバ装置としてのコンピュータに実行させる売上情報解析プログラムであって、前記サーバ装置としてのコンピュータに、前記売上情報として、前記購入された飲料ごとに当該飲料の購入時の気温および当該飲料がホットまたはコールドのいずれで販売されていたかを示す情報を前記自動販売機から受信して記憶する売上情報記憶手順と、前記売上情報記憶手順に記憶されている売上情報に基づいて、前記自動販売機で販売されている飲料をホットまたはコールドに切替える切替条件を解析して検出する切替条件検出手順と、前記切替条件検出手順により検出した切替条件を前記自動販売機に送信する切替条件送信手順とを実行させ、前記自動販売機としてのコンピュータに、気温を取得する気温取得手順と、前記売上情報を前記サーバ装置に送信する売上情報送信手順と、前記サーバ装置から受信した切替条件を記憶する切替条件記憶手順と、前記気温取得手順により取得した気温が前記切替条件記憶手順に記憶されている切替条件を満足するかどうかを判定する切替判定手順と、前記切替判定手順により前記切替条件を満足するものと判定した場合には、前記飲料をホットまたはコールドに切替える切替手順と、を実行させることを特徴とする。
【発明の効果】
【００１６】
請求項１または４の発明によれば、売上情報として、自動販売機で購入された飲料ごとに購入時の気温およびその飲料がホットまたはコールドのいずれで販売されていたかを示す情報（例えば、ホットあるいはコールドを直接示す情報やフラグ）を自動販売機から受信して記憶し、その売上情報に基づいて自動販売機で販売されている飲料をホットまたはコールドに切替える切替条件（ホットまたはコールドを切替える温度条件など）を解析して検出するので、飲料がホットまたはコールドのどちらが売れるのか気温変化に応じて解析できる結果、販売する飲料をホットまたはコールドに切替える温度（例えば、気温や室温など自動販売機設置場所の周辺の温度）を適切に設定でき、温度変化による飲料販売のチャンスロスを防止することが可能となる。
【００１７】
また、請求項２の発明によれば、売上情報として、自動販売機で購入された飲料ごとに購入時の気温およびその飲料がホットまたはコールドのいずれで販売されていたかを示す情報だけでなく、自動販売機の設置場所に関する情報をさらに記憶し、自動販売機の設置場所に関する情報をさらに加味して切替条件を解析して検出するので、飲料がホットまたはコールドのどちらが売れるのか気温変化や設置場所（例えば、オフィスやスポーツクラブなど）に応じて解析できる結果、販売する飲料をホットまたはコールドに切替える温度を設置場所も加味して適切に設定でき、温度変化による飲料販売のチャンスロスを防止することが可能となる。
【００１８】
また、請求項３の発明によれば、所定温度以上または所定温度以下が所定時間継続することを切替条件として検出するので、すなわち、販売している飲料の加温や冷却を切替える温度を所定時間継続して満足することを切替条件として検出する結果、例えば、気温の変化激しい場合に自動販売機に対して販売する飲料のホット（加温）やコールド（冷却）を頻繁に切替させる事態を防止することができ、販売する飲料をホットまたはコールドに切替える切替条件（温度条件と時間条件）を適切に設定することが可能となる。
【００１９】
また、請求項５、９または１０の発明によれば、サーバ装置は、売上情報として、自動販売機で購入された飲料ごとに購入時の気温およびその飲料がホットまたはコールドのいずれで販売されていたかを示す情報を自動販売機から受信して記憶し、その売上情報に基づいて、自動販売機で販売されている飲料をホットまたはコールドに切替える切替条件を解析して検出するとともに自動販売機に送信して、自動販売機は、気温を取得し、売上情報をサーバ装置に送信し、サーバ装置から受信した切替条件を記憶し、取得した気温が切替条件を満足するかどうかを判定するとともに、切替条件を満足するものと判定した場合には、販売している飲料をホットまたはコールドに切替えるので、飲料がホットまたはコールドのどちらが売れるのか気温変化に応じて解析できる結果、販売する飲料をホットまたはコールドに切替える温度（例えば、気温や室温など自動販売機設置場所の周辺の温度）を適切に設定でき、自動販売機ごとに切替の設定を行うことなくサーバ装置から自動販売機に対して自動的に設定することができ、温度変化による飲料販売のチャンスロスを防止することが可能となる。
【００２０】
また、請求項６の発明によれば、売上情報として、自動販売機で購入された飲料ごとに購入時の気温およびその飲料がホットまたはコールドのいずれで販売されていたかを示す情報だけでなく、自動販売機の設置場所に関する情報をさらに記憶し、自動販売機の設置場所に関する情報をさらに加味して切替条件を解析して検出するとともに自動販売機の設置場所に応じて送信するので、飲料がホットまたはコールドのどちらが売れるのか気温変化や設置場所（例えば、オフィスやスポーツクラブなど）に応じて解析できる結果、販売する飲料をホットまたはコールドに切替える温度を設置場所も加味して適切に設定でき（例えば、スポーツクラブなどではホットの飲料はほとんど売れないことを加味して設定でき）、また、自動販売機ごとに切替の設定を行うことなくサーバ装置から自動販売機に対して自動的に設定することができ、温度変化による飲料販売のチャンスロスを防止することが可能となる。
【００２１】
また、請求項７の発明によれば、所定温度以上または所定温度以下が所定時間継続することを切替条件として検出するので、すなわち、販売している飲料の加温や冷却を切替える温度を所定時間継続して満足することを切替条件として検出する結果、例えば、気温の変化激しい場合に自動販売機に対して販売する飲料の加温や冷却を頻繁に切替させる事態を防止することができ、また、自動販売機ごとに切替の設定を行うことなくサーバ装置から自動販売機に対して自動的に設定することができ、販売する飲料をホットまたはコールドに切替える切替条件（温度条件と時間条件）を適切に設定することが可能となる。
【００２２】
また、請求項８の発明によれば、販売する飲料についてホットまたはコールドを表示し、飲料をホット（加温）またはコールド（冷却）に切替える際に、その表示についてもホットまたはコールドに切替えるので、購入者のニーズに適した飲料を購入させることが可能となる。
【発明を実施するための最良の形態】
【００２３】
以下に添付図面を参照して、本発明に係る売上情報解析プログラム、売上情報解析サーバ装置および自動販売機システムの実施例を詳細に説明する。なお、以下では、本発明に係る自動販売機システムを実施例１として説明した後に、本発明に含まれる他の実施例を説明する。
【実施例１】
【００２４】
以下の実施例１では、実施例１に係る自動販売機システムの概要および特徴、自動販売機システムの構成および処理を順に説明し、最後に実施例１による効果を説明する。
【００２５】
［自動販売機システムの概要および特徴（実施例１）］
まず最初に、図１を用いて、実施例１に係る自動販売機システムの概要および特徴を説明する。図１は、実施例１に係る自動販売機システムの概要を説明するための図である。同図に示すように、実施例１に係る自動販売機システムは、自動販売機（図３参照）とサーバ装置とをネットワークを介して接続して構成され、自動販売機で購入された飲料の売上情報をサーバ装置で解析することを概要とするが、販売する飲料をホットまたはコールドに切替える温度を適切に設定でき、温度変化による飲料販売のチャンスロスを防止する点に主たる特徴がある。
【００２６】
この主たる特徴について具体的に説明すると、この自動販売機システムを構成する売上情報解析サーバ装置は、各自動販売機から売上情報を受信して記憶する（図１の（１）参照）。ここで、売上情報とは、自動販売機から購入された飲料ごとに購入時の気温および購入された飲料がホットまたはコールドのいずれで販売されていたかを示す情報からなる情報である。
【００２７】
続いて、売上情報解析サーバ装置の切替条件解析部は、例えば、このサーバ装置の管理者などからの指示を受け付けて、切替条件の解析を行う（図１の（２）参照）。具体的には、この切替条件解析部は、売上情報記憶部に記憶された売上情報に基づいて、例えば、図２に例示するように、飲料ごと（例えば、飲料Ａ）に、ホットおよびコールドの売上（個数）と購入時の気温との関係を解析して、ホットとコールドを切替える契機となる気温（例えば、売上個数が同じになると推測される気温）を切替条件の一つである温度条件として検出する。
【００２８】
また、売上情報解析サーバ装置の切替条件解析部は、先ほど切替条件解析部で検出した温度条件のほかに、切替の契機となる気温以上または気温以下の継続時間を自動販売機における切替実行のために必須の時間条件としてあわせて検出する（例えば、１０℃以上または１０℃以下を１時間継続することを必須の時間条件として検出する）。時間条件をあわせて検出するのは、例えば、気温の変化激しい場合に自動販売機に対して販売する飲料の加温や冷却を頻繁に切替させる事態を防止する趣旨である。そして、売上情報解析サーバ装置は切替条件として検出した温度条件および時間条件を各自動販売機に送信する（図１の（３）参照）。
【００２９】
切替条件を売上情報解析サーバ装置から受け付けて、各自動販売機は切替判定を行う（図１の（４）参照）。具体的には、各自動販売機は、それぞれが備える気温センサから所定時間気温を取得して切替条件を満足するか否か（つまり、例えば、温度条件である１０℃以下の気温が１時間継続しているか否か、または、１０℃以上の気温が１時間継続しているか否か）を判定する。
【００３０】
その結果、切替条件を満足する場合には、各自動販売機は切替を行う（図１の（５）参照）。具体的には、例えば、コールドで販売されている飲料の表示を準備中に切替えるとともに加温を開始し、また、ホットで販売されている飲料の表示を準備中に切替えるとともに冷却を開始して、加温または冷却が終了した後、表示をホットまたはコールドに切替える（図４参照）。
【００３１】
このようなことから、実施例１に係る自動販売機システムは、上述した主たる特徴のごとく、販売する飲料をホットまたはコールドに切替える温度を適切に設定でき、温度変化による飲料販売のチャンスロスを防止することが可能となる。
【００３２】
［自動販売機システムの構成（実施例１）］
次に、図５を用いて、実施例１に係る自動販売機システムを構成する売上情報解析サーバ装置および自動販売機の構成を説明する。図５は、実施例１に係る自動販売機システムの構成を示すブロック図である。同図に示すように、この自動販売機システムは、売上情報解析サーバ装置１０と自動販売機２０とをネットワーク１で接続して構成され、売上情報解析サーバ装置１０は、通信制御ＩＦ部１１と、記憶部１２と、制御部１３とから構成され、自動販売機２０は、通信制御ＩＦ部２１と、気温センサ２２と、記憶部２３と、制御部２４とから構成される。なお、同図においては、実施例１に係る売上情報解析サーバ装置１０および自動販売機２０を実現するうえで必要となる処理部のみを示しており、その他の処理部の記載については省略している。
【００３３】
売上情報解析サーバ装置１０の通信制御１Ｆ部１１は、自動販売機２０との間でやり取りする各種情報（例えば、売上情報や切替条件など）に関する通信を制御する手段である。
【００３４】
売上情報解析サーバ装置１０の記憶部１２は、制御部１３による各種処理に必要なデータおよびプログラムを格納する格納手段（記憶手段）であり、特に本発明に密接に関連するものとしては、売上情報記憶部１２ａを備える。
【００３５】
この売上情報記憶部１２ａは、各自動販売機２０の売上情報に関する各種の情報を記憶する手段であり、具体的には、図６に例示するように、飲料の種類（例えば、飲料Ａや飲料Ｂなど）および飲料購入時の気温に対応づけて、ホットまたはコールドのいずれで販売されているものであるかがわかるように、それぞれの売上個数を記憶して構成される。
【００３６】
売上情報解析サーバ装置１０の制御部１３は、所定の制御プログラム、各種の処理手順などを規定したプログラムおよび所要データを格納するための内部メモリを有し、これらによって種々の処理を実行する処理部であり、特に本発明に密接に関連するものとしては、売上情報受信部１３ａと、切替条件解析部１３ｂと、切替条件送信部１３ｃとを備える。
【００３７】
このうち、売上情報受信部１３ａは、通信制御ＩＦ部１１を介して各自動販売機２０から売上情報を受信する処理部であり、受信した売上情報を売上情報記憶部１２ａに格納する。
【００３８】
切替条件解析部１３ｂは、各自動販売機２０から受信した売上情報に基づいて、自動販売機２０において販売されている飲料のホット（加温）またはコールド（冷却）を切替えるための切替条件の解析を行う処理部であり、具体的には、例えば、管理者などからの指示を受け付けると、売上情報記憶部１２ａから売上情報を読み出して、飲料ごと（例えば、飲料Ａ）に、ホットおよびコールドの売上（個数）と購入時の気温との関係を解析して、ホットとコールドを切替える契機となる気温（例えば、売上個数が同じになると推測される気温）を温度条件として検出する（図２参照）。
【００３９】
また、切替条件解析部１３ｂは、検出した温度条件のほかに、切替の契機となる気温以上または気温以下の継続時間を自動販売機２０における切替実行のために必須の時間条件としてあわせて検出する（例えば、１０℃以上または１０℃以下を１時間継続することを必須の時間条件として検出する）。時間条件をあわせて検出するのは、例えば、気温の変化激しい場合に自動販売機に対して販売する飲料の加温や冷却を頻繁に切替させる事態を防止する趣旨である。なお、時間条件として検出する継続時間は、例えば、気象庁の気温データなどに基づいて適宜変更するようにしてもよい。そして、切替条件解析部１３ｂは、検出した切替条件を自動販売機２０に送信するように切替条件送信部１３ｃに指令を出力する。
【００４０】
切替条件送信部１３ｃは、切替条件解析部１３ｂで検出した切替条件を自動販売機２０に送信する処理部であり、具体的には、切替条件解析部１３ｂから指令を受け付けて、切替条件として検出された温度条件および時間条件を通信制御ＩＦ部１１を介して各自動販売機２０に送信する。なお、切替条件送信部１３ｃは、各自動販売機２０の宛先を所持しているものとする。
【００４１】
続いて、自動販売機２０の通信制御ＩＦ部２１は、売上情報解析サーバ装置１０との間でやり取りする各種情報（例えば、売上情報や切替条件など）に関する通信を制御する手段である。
【００４２】
自動販売機２０の気温センサ２２は、自動販売機２０の周辺温度を感知して取得する手段である。
【００４３】
自動販売機２０の記憶部２３は、制御部２４による各種処理に必要なデータおよびプログラムを格納する格納手段（記憶手段）であり、特に本発明に密接に関連するものとしては、切替条件記憶部２３ａを備える。
【００４４】
この切替条件記憶部２３ａは、売上情報解析サーバ装置１０から受信した切替条件に関する情報を記憶する記憶手段であり、具体的には、図７に例示するように、ホット（加温）切替またはコールド（冷却）切替に対応付けて、切替条件である温度条件および時間条件を記憶して構成される。
【００４５】
自動販売機２０の制御部２４は、所定の制御プログラム、各種の処理手順などを規定したプログラムおよび所要データを格納するための内部メモリを有し、これらによって種々の処理を実行する処理部であり、特に本発明に密接に関連するものとしては、売上情報送信部２４ａと、切替条件受信部２４ｂと、切替判定部２４ｃと、切替制御部２４ｄとを備える。
【００４６】
このうち、売上情報送信部２４ａは、通信制御ＩＦ部２１を介して売上情報解析サーバ装置１０に売上情報を送信する処理部であり、内部的なメモリなどに記憶している売上情報を、例えば、日単位で売上情報サーバ装置１０に送信する。
【００４７】
切替条件受信部２４ｂは、通信制御ＩＦ部２１を介して売上情報解析サーバ装置１０から切替条件に関する情報を受信する処理部であり、受信した切替条件に関する情報を切替条件記憶部２３ａに格納する。そして、切替条件受信部２４ｂは、切替判定部２４ｃに切替判定の実行指令を出力する。
【００４８】
切替判定部２４ｃは、販売している飲料のホット（加温）またはコールド（冷却）を切替えるための切替判定を行う処理部であり、具体的には、切替条件受信部２４ｂから切替判定の実行指令を受け付けると、気温センサ２２から所定時間気温を取得して切替条件を満足するか否か（つまり、例えば、切替の契機となる１０℃以下の気温が１時間継続しているか否か、または、切替の契機となる１０℃以上の気温が１時間継続しているか否かのように、温度条件として検出された切替の契機となる気温以上または気温以下が所定時間継続するか否か）を判定する。そして、切替判定部２４ｃは、判定の結果、切替条件を満足するものと判定した場合には、切替の実行指令を切替制御部２４ｄに出力する。
【００４９】
切替制御部２４ｄは、販売している飲料をホット（加温）またはコールド（冷却）に切替える処理部であり、具体的には、切替判定部２４ｃから切替の実行指令を受け付けると、例えば、コールドで販売されている飲料の表示を準備中に切替えるとともに加温を開始し、また、ホットで販売されている飲料の表示を準備中に切替えるとともに冷却を開始して、加温または冷却が終了した後、表示をホットまたはコールドに切替える（図４参照）。なお、準備中、ホットあるいはコールドの表示は、図示を省略した表示部において行われ、この表示部は、例えば、液晶や電子ペーパーなどの表示変更可能な素材で構成される。
【００５０】
［売上情報解析サーバ装置による処理（実施例１）］
次に、図８を用いて、実施例１に係る自動販売機システムを構成する売上情報解析サーバ装置の処理を説明する。図８は、実施例１に係る自動販売機システムを構成する売上情報解析サーバ装置の処理の流れを示すフローチャートである。同図に示すように、例えば、売上情報解析サーバ装置の管理者などから切替条件解析指示を受け付けると（ステップＳ８０１肯定）、売上情報解析サーバ装置１０の切替条件解析部１３ｂは、切替条件の解析を行う（ステップＳ８０２）。
【００５１】
具体的には、この切替条件解析部１３ｂは、飲料ごと（例えば、飲料Ａ）に、ホットおよびコールドの売上（個数）と購入時の気温との関係を解析して、ホットとコールドを切替える契機となる気温（例えば、売上個数が同じになると推測される気温）を温度条件として検出する（図２参照）。
【００５２】
また、切替条件解析部１３ｂは、検出した温度条件のほかに、切替の契機となる気温以上または気温以下の継続時間を自動販売機２０における切替実行のために必須の時間条件としてあわせて検出する（例えば、１０℃以上または１０℃以下を１時間継続することを必須の時間条件として検出する）。
【００５３】
そして、切替条件解析部１３ｂは、検出した切替条件を自動販売機２０に送信するように切替条件送信部１３ｃに指令を出力し、この指令を受け付けて、切替条件送信部１３ｃは、切替条件として検出された温度条件および時間条件を通信制御ＩＦ部１１を介して各自動販売機２０に送信する（ステップＳ８０３）。
【００５４】
［自動販売機による処理（実施例１）］
【００５５】
続いて、図９を用いて、実施例１に係る自動販売機システムを構成する自動販売機の処理を説明する。図９は、実施例１に係る自動販売機の処理の流れを示すフローチャートである。同図に示すように、売上情報解析サーバ装置１０から切替条件を受信すると（ステップＳ９０１肯定）、切替条件受信部２４ｂは、受信した切替条件に関する情報を切替条件記憶部２３ａに格納する。そして、切替条件受信部２４ｂは、切替判定部２４ｃに切替判定の実行指令を出力する。
【００５６】
切替条件受信部２４ｂから切替判定の実行指令を受け付けると、切替判定部２４ｃは、販売している飲料のホット（加温）またはコールド（冷却）に切替えるための切替判定を実行する（ステップＳ９０２）。具体的には、切替判定部２４ｃは、気温センサ２２から所定時間気温を取得して切替条件を満足するか否か（つまり、例えば、切替の契機となる１０℃以下の気温が１時間継続しているか否か、または、切替の契機となる１０℃以上の気温が１時間継続しているか否かのように、温度条件として検出された切替の契機となる気温以上または気温以下が所定時間継続するか否か）を判定する。そして、切替判定部２４ｃは、判定の結果、切替条件を満足するものと判定した場合には（ステップＳ９０３肯定）、切替の実行指令を切替制御部２４ｄに出力する。
【００５７】
切替判定部２４ｃから切替の実行指令を受け付けると、切替制御部２４ｄは、販売している飲料のホット（加温）またはコールド（冷却）への切替を実行する（ステップＳ９０４）。具体的には、切替制御部２４ｄは、例えば、コールドで販売されている飲料の表示を準備中に切替えるとともに加温を開始し、また、ホットで販売されている飲料の表示を準備中に切替えるとともに冷却を開始して、加温または冷却が終了した後、表示をホットまたはコールドに切替える（図４参照）。
【００５８】
［実施例１の効果］
上述してきたように、実施例１によれば、売上情報解析サーバ装置１０は、売上情報として、自動販売機２０で購入された飲料ごとに購入時の気温およびその飲料がホットまたはコールドのいずれで販売されていたかを示す情報を自動販売機２０から受信して記憶し、その売上情報に基づいて、自動販売機２０で販売されている飲料をホットまたはコールドに切替える切替条件を解析して検出するとともに自動販売機２０に送信して、自動販売機２０は、気温を取得し、売上情報を売上情報解析サーバ装置１０に送信し、売上情報解析サーバ装置１０から受信した切替条件を記憶し、取得した気温が切替条件を満足するかどうかを判定するとともに、切替条件を満足するものと判定した場合には、販売している飲料をホットまたはコールドに切替えるので、飲料がホットまたはコールドのどちらが売れるのか気温変化に応じて解析できる結果、販売する飲料をホットまたはコールドに切替える温度（例えば、気温や室温など自動販売機設置場所の周辺の温度）を適切に設定でき、自動販売機２０ごとに切替の設定を行うことなく売上情報解析サーバ装置１０から自動販売機２０に対して自動的に設定することができ、温度変化による飲料販売のチャンスロスを防止することが可能となる。
【００５９】
また、実施例１によれば、所定温度以上または所定温度以下が所定時間継続することを切替条件として検出するので、すなわち、販売している飲料の加温や冷却を切替える温度を所定時間継続して満足することを切替条件として検出する結果、例えば、気温の変化激しい場合に自動販売機２０に対して販売する飲料のホット（加温）やコールド（冷却）を頻繁に切替させる事態を防止することができ、販売する飲料をホットまたはコールドに切替える切替条件（温度条件と時間条件）を適切に設定することが可能となる。
【００６０】
また、実施例１によれば、販売する飲料についてホットまたはコールドを表示し、飲料をＨＯＴまたはＣＯＬＤに切替える際にホットまたはコールドの表示を切替えるので、購入者のニーズに適した飲料を購入させることが可能となる。
【実施例２】
【００６１】
さて、これまで本発明の実施例１について説明したが、本発明は上述した実施例１以外にも、種々の異なる形態にて実施されてよいものである。そこで、以下では、本発明に含まれる実施例を説明する。
【００６２】
（１）自動販売機の設置場所の情報に基づく切替条件の解析および送信
上記の実施例１では、売上情報解析サーバ装置において、自動販売機から受信した売上情報に基づき切替条件の解析を行う場合を説明したが、本発明はこれに限定されるものではなく、自動販売機の設置場所の情報を予め所持して、設置場所の情報をさらに加味して切替条件の解析を行い、設置場所に応じて切替条件を送信するようにしてもよい。
【００６３】
これにより、飲料がホットまたはコールドのどちらが売れるのか気温変化や設置場所（例えば、オフィスやスポーツクラブなど）に応じて解析できる結果、販売する飲料をホットまたはコールドに切替える温度を設置場所も加味して適切に設定でき（例えば、スポーツクラブなどではホットの飲料はほとんど売れないことを加味して設定でき）、また、自動販売機ごとに切替の設定を行うことなくサーバ装置から自動販売機に対して自動的に設定することができ、温度変化による飲料販売のチャンスロスを防止することが可能となる。
【００６４】
（２）装置構成等
また、図５に示した売上情報解析サーバ装置１０または自動販売機２０の各構成要素は機能概念的なものであり、必ずしも物理的に図示の如く構成されていることを要しない。すなわち、売上情報解析サーバ装置１０または自動販売機２０の分散・統合の具体的形態は図示のものに限られず、切替条件解析部１３ｂと切替条件送信部１３ｃとを統合し、または、切替条件受信部２４ｂと切替判定部２４ｃとを統合するなど、その全部または一部を、各種の負荷や使用状況などに応じて、任意の単位で機能的または物理的に分散・統合して構成することができる。さらに、売上情報解析サーバ装置１０または自動販売機２０にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００６５】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６６】
（５）売上情報解析プログラム
ところで、上記の実施例１で説明した各種の処理は、あらかじめ用意されたプログラムをパーソナルコンピュータやワークステーションなどのコンピュータシステムで実行することによって実現することができる。そこで、以下では、図１０を用いて、上記の実施例１で説明した売上情報解析サーバ装置１０の処理と同様の機能を有するプログラム（仮に売上情報解析プログラムとする）を実行するコンピュータの一例を説明する。図１０は、売上情報解析プログラムを実行するコンピュータを示す図である。
【００６７】
同図に示すように、売上情報解析サーバ装置であるコンピュータ３０は、通信制御ＩＦ部３１と、ＨＤＤ３２と、ＲＡＭ３３と、ＲＯＭ３４と、ＣＰＵ３５とを所定のバス４０で接続して構成される。ここで、通信制御ＩＦ部３１は、図５に示した通信制御ＩＦ部１１に対応する。
【００６８】
まず、ＲＯＭ３４には、上記の実施例１に示した売上情報解析サーバ装置１０と同様の機能を発揮する売上情報解析プログラム、つまり、図１０に示すように、売上情報受信プログラム３４ａ、切替条件解析プログラム３４ｂおよび切替条件送信プログラム３４ｃがあらかじめ記憶されている。なお、これらのプログラム３４ａ、３４ｂおよび３４ｃについては、図５に示した売上情報解析サーバ装置１０の各構成要素と同様、適宜統合または分散してもよい。
【００６９】
そして、ＣＰＵ３５が、これらのプログラム３４ａ、３４ｂおよび３４ｃをＲＯＭ３４から読み出して実行することで、図１０に示すように、各プログラム３４ａ、３４ｂおよび３４ｃは、売上情報受信プロセス３５ａ、切替条件解析プロセス３５ｂおよび切替条件送信プロセス３５ｃとして機能するようになる。なお、各プロセス３５ａ、３５ｂおよび３５ｃは、図５に示した売上情報解析サーバ装置１０の売上情報受信部１３ａ、切替条件解析部１３ｂおよび切替条件送信部１３ｃにそれぞれ対応する。
【００７０】
また、ＨＤＤ３２には、図１０に示すように、売上情報テーブル３２ａが設けられる。この売上情報テーブル３２ａは、図５に示した売上情報解析サーバ装置１０の売上情報記憶部１２ａに対応する。そして、ＣＰＵ３５は、売上情報テーブル３２ａから売上情報データ３３ａを読み出してＲＡＭ３３に格納し、ＲＡＭ３３に格納された売上情報データ３３ａに基づいて各種処理を実行する。
【００７１】
なお、上記した各プログラム３４ａ、３４ｂおよび３４ｃは、必ずしも最初からＲＯＭ３４に記憶させておく必要はなく、例えば、コンピュータ３０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ３０の内外に備えられるＨＤＤなどの「固定用の物理媒体」、さらには、公衆回線、インターネット、ＬＡＮ、ＷＡＮなどを介してコンピュータ３０に接続される「他のコンピュータ（またはサーバ）」などに各プログラムを記憶させておき、コンピュータ３０がこれらから各プログラムを読み出して実行するようにしてもよい。
【００７２】
（付記１）自動販売機において購入された飲料の売上情報を解析する方法をコンピュータに実行させる売上情報解析プログラムであって、
前記売上情報として、前記購入された飲料ごとに当該飲料の購入時の気温および当該飲料がホットまたはコールドのいずれで販売されていたかを示す情報を前記自動販売機から受信して売上情報記憶手段に記憶する売上情報記憶手順と、
前記売上情報記憶手段に記憶されている売上情報に基づいて、前記自動販売機で販売されている飲料をホットまたはコールドに切替える切替条件を解析して検出する切替条件検出手順と、
をコンピュータに実行させることを特徴とする売上情報解析プログラム。
【００７３】
（付記２）前記売上情報記憶手順は、前記売上情報として、前記購入された飲料ごとに当該飲料の購入時の気温および当該飲料がホットまたはコールドのいずれで販売されていたかを示す情報だけでなく、前記自動販売機の設置場所に関する情報を前記売上情報記憶手段にさらに記憶し、
前記切替条件検出手順は、前記売上情報記憶手段に記憶されている前記自動販売機の設置場所に関する情報をさらに加味して前記切替条件を解析して検出することを特徴とする付記１に記載の売上情報解析プログラム。
【００７４】
（付記３）前記切替条件検出手順は、所定温度以上または所定温度以下が所定時間継続することを前記切替条件として検出することを特徴とする付記１に記載の売上情報解析プログラム。
【００７５】
（付記４）自動販売機において購入された飲料の売上情報を解析する売上情報解析サーバ装置であって、
前記売上情報として、前記購入された飲料ごとに当該飲料の購入時の気温および当該飲料がホットまたはコールドのいずれで販売されていたかを示す情報を前記自動販売機から受信して記憶する売上情報記憶手段と、
前記売上情報記憶手段に記憶されている売上情報に基づいて、前記自動販売機で販売されている飲料をホットまたはコールドに切替える切替条件を解析して検出する切替条件検出手段と、
を備えたことを特徴とする売上情報解析サーバ装置。
【００７６】
（付記５）自動販売機とサーバ装置とがネットワークを介して接続されており、当該自動販売機で購入された飲料の売上情報を当該サーバ装置で解析する自動販売機システムであって、
前記サーバ装置は、
前記売上情報として、前記購入された飲料ごとに当該飲料の購入時の気温および当該飲料がホットまたはコールドのいずれで販売されていたかを示す情報を前記自動販売機から受信して記憶する売上情報記憶手段と、
前記売上情報記憶手段に記憶されている売上情報に基づいて、前記自動販売機で販売されている飲料をホットまたはコールドに切替える切替条件を解析して検出する切替条件検出手段と、
前記切替条件検出手段により検出した切替条件を前記自動販売機に送信する切替条件送信手段とを備え、
前記自動販売機は、
気温を取得する気温取得手段と、
前記売上情報を前記サーバ装置に送信する売上情報送信手段と、
前記サーバ装置から受信した切替条件を記憶する切替条件記憶手段と、
前記気温取得手段により取得した気温が前記切替条件記憶手段に記憶されている切替条件を満足するかどうかを判定する切替判定手段と、
前記切替判定手段により前記切替条件を満足するものと判定した場合には、前記飲料をホットまたはコールドに切替える切替手段と、
を備えたことを特徴とする自動販売機システム。
【００７７】
（付記６）前記売上情報記憶手段は、前記売上情報として、前記購入された飲料ごとに当該飲料の購入時の気温および当該飲料がホットまたはコールドのいずれで販売されていたかを示す情報だけでなく、前記自動販売機の設置場所に関する情報をさらに記憶し、
前記切替条件検出手段は、前記売上情報記憶手段に記憶されている前記自動販売機の設置場所に関する情報をさらに加味して前記切替条件を解析して検出し、
前記切替条件送信手段は、前記切替条件検出手段により検出された切替条件を前記自動販売機の設置場所に応じて送信することを特徴とする付記５に記載の自動販売機システム。
【００７８】
（付記７）前記切替条件検出手段は、所定温度以上または所定温度以下が所定時間継続することを前記切替条件として検出することを特徴とする付記５に記載の自動販売機システム。
【００７９】
（付記８）前記自動販売機は、
前記販売する飲料についてホットまたはコールドを表示する表示手段をさらに備え、
前記切替手段は、前記飲料をホットまたはコールドに切替える際に、前記表示手段に表示されたホットまたはコールドの表示を切替えることを特徴とする付記５に記載の自動販売システム。
【００８０】
（付記９）自動販売機とサーバ装置とがネットワークを介して接続されており、当該自動販売機で購入された飲料の売上情報を当該サーバ装置で解析する自動販売機システムに適用される売上情報解析方法であって、
前記サーバ装置は、
前記売上情報として、前記購入された飲料ごとに当該飲料の購入時の気温および当該飲料がホットまたはコールドのいずれで販売されていたかを示す情報を前記自動販売機から受信して記憶する売上情報記憶工程と、
前記売上情報記憶工程に記憶されている売上情報に基づいて、前記自動販売機で販売されている飲料をホットまたはコールドに切替える切替条件を解析して検出する切替条件検出工程と、
前記切替条件検出手段により検出した切替条件を前記自動販売機に送信する切替条件送信工程とを含み、
前記自動販売機は、
気温を取得する気温取得工程と、
前記売上情報を前記サーバ装置に送信する売上情報送信工程と、
前記サーバ装置から受信した切替条件を記憶する切替条件記憶工程と、
前記気温取得工程により取得した気温が前記切替条件記憶工程に記憶されている切替条件を満足するかどうかを判定する切替判定工程と、
前記切替判定工程により前記切替条件を満足するものと判定した場合には、前記飲料をホットまたはコールドに切替える切替工程と、
を含んだことを特徴とする売上情報解析方法。
【００８１】
（付記１０）自動販売機とサーバ装置とがネットワークを介して接続されており、当該自動販売機で購入された飲料の売上情報を当該サーバ装置で解析する自動販売機システムに適用される売上情報解析方法を、当該自動販売機および当該サーバ装置としてのコンピュータに実行させる売上情報解析プログラムであって、
前記サーバ装置としてのコンピュータに、
前記売上情報として、前記購入された飲料ごとに当該飲料の購入時の気温および当該飲料がホットまたはコールドのいずれで販売されていたかを示す情報を前記自動販売機から受信して記憶する売上情報記憶手順と、
前記売上情報記憶手順に記憶されている売上情報に基づいて、前記自動販売機で販売されている飲料をホットまたはコールドに切替える切替条件を解析して検出する切替条件検出手順と、
前記切替条件検出手順により検出した切替条件を前記自動販売機に送信する切替条件送信手順とを実行させ、
前記自動販売機としてのコンピュータに、
気温を取得する気温取得手順と、
前記売上情報を前記サーバ装置に送信する売上情報送信手順と、
前記サーバ装置から受信した切替条件を記憶する切替条件記憶手順と、
前記気温取得手順により取得した気温が前記切替条件記憶手順に記憶されている切替条件を満足するかどうかを判定する切替判定手順と、
前記切替判定手順により前記切替条件を満足するものと判定した場合には、前記飲料をホットまたはコールドに切替える切替手順と、
を実行させることを特徴とする売上情報解析プログラム。
【産業上の利用可能性】
【００８２】
以上のように、本発明に係る売上情報解析プログラムは自動販売機において購入された飲料の売上情報を解析する方法をコンピュータに実行させる場合、売上情報解析サーバ装置は自動販売機において購入された飲料の売上情報を解析する場合、そして、自動販売機システムは自動販売機とサーバ装置とがネットワークを介して接続されており、当該自動販売機で購入された飲料の売上情報を当該サーバ装置で解析する場合にそれぞれ有用であり、特に、販売する飲料をホットまたはコールドに切替える温度を適切に設定でき、温度変化による飲料販売のチャンスロスを防止することに適する。
【図面の簡単な説明】
【００８３】
【図１】実施例１に係る自動販売機システムの概要を説明するための図である。
【図２】実施例１に係る切替条件である温度条件の検出例を示す図である。
【図３】実施例１に係る自動販売機を例示する図である。
【図４】実施例１に係る自動販売機の表示切替例を示す図である。
【図５】実施例１に係る自動販売機システムの構成を示すブロック図である。
【図６】売上情報の構成例を示す図である。
【図７】切替条件の構成例を示す図である。
【図８】実施例１に係る自動販売機システムを構成する売上情報解析サーバ装置の処理の流れを示すフローチャートである。
【図９】実施例１に係る自動販売機システムを構成する自動販売機の処理の流れを示すフローチャートである。
【図１０】売上情報解析プログラムを実行するコンピュータを示す図である。
【符号の説明】
【００８４】
１  ネットワーク
１０  売上情報解析サーバ装置
１１  通信制御ＩＦ部
１２  記憶部
１２ａ  売上情報記憶部
１３  制御部
１３ａ  売上情報受信部
１３ｂ  切替条件解析部
１３ｃ  切替条件送信部
２０  自動販売機
２１  通信制御ＩＦ部
２２  気温センサ
２３  記憶部
２３ａ  切替条件記憶部
２４  制御部
２４ａ  売上情報送信部
２４ｂ  切替条件受信部
２４ｃ  切替判定部
２４ｄ  切替制御部
３０  コンピュータ
３１  通信制御ＩＦ部
３２  ＨＤＤ（Hard disk drive）
３３  ＲＡＭ（Random access memory）
３４  ＲＯＭ（Read only memory）
３５  ＣＰＵ（Central processing unit）
４０  バス
【図１】
2007264816.tif 000003
【図２】
2007264816.tif 000004
【図３】
2007264816.tif 000005
【図４】
2007264816.tif 000006
【図５】
2007264816.tif 000007
【図６】
2007264816.tif 000008
【図７】
2007264816.tif 000009
【図８】
2007264816.tif 000010
【図９】
2007264816.tif 000011
【図１０】
2007264816.tif 000012